(57)【要約】      （修正有）【課題】より効果的に飛沫防止効果を得ることができ、特に警備員の使用に際し利便性の高い飛沫防止シールドを提供する。【解決手段】装着者の顔面を保護する飛沫防止シールドＡであって、装着者の目を覆うクリアレンズを備えた第１の防護体Ｂと、装着者の鼻および口の前方を、間隔を空けて覆うクリアカバーを備えた第２の防護体Ｃと、の組み合わせからなる。【選択図】図１
0003230831.tif 000002
【実用新案登録請求の範囲】
【請求項１】
装着者の顔面を保護する飛沫防止シールドであって、
装着者の目を覆うクリアレンズを備えた、第１の防護体と、
装着者の鼻および口の前方を、間隔を空けて覆うクリアカバーを備えた、第２の防護体と、の組み合わせからなることを特徴とする、
飛沫防止シールド。
【請求項２】
前記クリアレンズが、紫外線の透過防止機能を有することを特徴とする、
請求項１に記載の飛沫防止シールド。
【請求項３】
前記クリアカバーが、紫外線の透過防止機能を有することを特徴とする、
請求項１または２に記載の飛沫防止シールド。
【請求項４】
前記第２の防護体が、
前記クリアカバーを脱着自在に構成した、本体部と、
前記本体部から、装着者の顔面側に突出させた、顎当て部と、
前記本体部の左右に設けた、耳掛け部と、
を更に備えることを特徴とする、
請求項１乃至３のうち何れか１項に記載の飛沫防止シールド。
【請求項５】
前記本体部に対し、前記耳掛け部を着脱自在に構成したことを特徴とする、
請求項１乃至４のうち何れか１項に記載の飛沫防止シールド。
【請求項６】
前記本体部に対し、前記顎当て部を着脱自在に構成したことを特徴とする、
請求項１乃至５のうち何れか１項に記載の飛沫防止シールド。
【請求項７】
前記第１の防護体が、粉塵保護用または花粉保護用のメガネまたはゴーグルであることを特徴とする、
請求項１乃至６のうち何れか１項に記載の飛沫防止シールド。
【考案の詳細な説明】
【技術分野】
【０００１】
本考案は、警備員の装着に適した顔面用の飛沫防止シールド（透明フェイスシールド）に関する。
【背景技術】
【０００２】
昨今の新型コロナウイルス感染症（ＣＯＶＩＤ−１９）の流行に関連し、オフィス、医療施設、商業施設、公共交通機関など、あらゆる現場において、業務従事者にマスクの装着が求められている。
例えば、特許文献１に記載の防塵用マスクでは、装着者が会話などによって口を大きく開いた際のマスク全体の位置ずれが発生することを解決課題とし、カップ状の被覆部の周縁部に接合した接顔体の変形でもって、常に接顔体が顔面に密接した状態を維持することを期待している。
【先行技術文献】
【特許文献】
【０００３】
【特許文献１】特開２０２０−５９９５４号公報
【考案の概要】
【考案が解決しようとする課題】
【０００４】
上記した先行文献に示すマスクは、以下に記載する問題のうち、少なくとも何れか１つの問題を奏する。
（１）装着者の口の開きが大きくなると、接顔体の変形でもって対応できずに、接顔体が顔とこすれてしまい、装着者の肌を傷めやすい。
（２）マスクを装着した状態の装着者が、他者からどのように見られているかについて一切考慮されていない。特に、マスク装着者が発する声は、マスクによって遮られ他者には聞き取りづらいものとなっており、顧客やその他不特定多数の者との会話の多い業務従事者にあっては、表情の見えにくさと、声の聞き取りにくさとが相まって、意思疎通に難が生じやすく、不信感の増大に繋がり、無用なトラブルを引き起こす一因ともなっている。
【０００５】
また、その他にも、警備員が装着するマスクとして、以下の改善事項が所望されている。
（１）装着者が警備員の場合、業務中に警笛で誘導作業等を行うことから、必要に応じて口元からマスクをずらす作業を、装着者の利き腕を問わず迅速に実施できるようにしたい。
（２）建設現場などの過酷な環境下で破損が生じたとしても部分的な交換を容易としたい。
（３）口鼻に限らず、目に対する飛沫の遮蔽効果も実現したい。
【０００６】
よって、本考案は、より効果的に飛沫防止効果を得ることができ、特に警備員の使用に際して利便性の高い手段の提供を目的の一つとするものである。
【課題を解決するための手段】
【０００７】
上記課題を解決すべくなされた本願考案は、装着者の顔面を保護する飛沫防止シールドであって、装着者の目を覆うクリアレンズを備えた、第１の防護体と、装着者の鼻および口の前方を、間隔を空けて覆うクリアカバーを備えた、第２の防護体との組み合わせからなることを特徴とする。
また、前記考案において、前記クリアレンズが、紫外線の透過防止機能を有するよう構成することができる。
また、前記考案において、前記クリアカバーが、紫外線の透過防止機能を有するよう構成することができる。
また、前記考案において、前記第２の防護体が、前記クリアカバーを脱着自在に構成した、本体部と、前記本体部から、装着者の顔面側に突出させた、顎当て部と、前記本体部の左右に設けた、耳掛け部と、を更に備えるよう構成することができる。
また、前記考案において、前記本体部に対し、前記耳掛け部を着脱自在に構成することができる。
また、前記考案において、前記本体部に対し、前記顎当て部を着脱自在に構成することができる。
また、前記考案において、前記第１の防護体を、粉塵保護用または花粉保護用のメガネまたはゴーグルを用いて構成することができる。
【考案の効果】
【０００８】
本考案によれば、以下に記載する効果のうち、少なくとも何れか１つの効果を奏する。
（１）第１の防護体を設けることにより、装着者の目への飛沫を防止することができる。
（２）第１の防護体に、粉塵保護用または花粉保護用のメガネまたはゴーグルを用いることで、汎用品を流用でき、コストを圧縮できる。
（３）第１の防護体を構成するクリアレンズに紫外線の透過防止機能を持たせることで、夏場の屋外などでの警備作業時における装着者の目の保護に寄与する。
（４）第２の防護体として、装着者の鼻および口の前方を、間隔を空けて覆うクリアカバーを用いることで、一定の飛沫防止効果を得つつ、装着者の口元を明瞭に視認できる状態として、意思疎通に難が生じないよう構成することができる。
（５）第２の防護体を構成する本体部に対し、各パーツを脱着自在に構成することで、本体部やクリアカバーの破損や汚れが生じた際に、各パーツの交換でもって対応できる。また、各パーツを分解して持ち運ぶことが可能となるため、荷物の容積減につながり、また運搬時の破損も生じにくい。
【図面の簡単な説明】
【０００９】
【図１】本考案に係る飛沫防止シールドの一例を示す概略斜視図。
【図２】本考案に係る第１の防護体の一例を示す概略斜視図。
【図３】本考案に係る第２の防護体の一例を示す概略斜視図。
【考案を実施するための形態】
【００１０】
以下、図面を参照しながら、本考案の実施例について説明する。
【実施例】
【００１１】
＜１＞全体構成（図１）
図１に、本考案に係る飛沫防止シールドの一例を示す。
本考案に係る飛沫防止シールドＡは、装着者の目を覆う第１の防護体Ｂと、装着者の鼻および口を覆う第２の防護体Ｃと、を組み合わせて構成する。
図１では、第１の防護体Ｂおよび第２の防護体Ｃは分離して構成し、それぞれ別々に装着動作を要する構成としているが、本考案では上記構成に限定されず、第１の防護体Ｂと第２の防護体Ｃとを連結して一体化した構成や、互いに連結可能とした構成を採用しても良い。
以下、各構成要素の詳細について説明する。
【００１２】
＜２＞第１の防護体（図２）
第１の防護体Ｂは、装着者の目を覆うことで、目への飛沫の侵入を防止するための部材である。
第１の防護体Ｂには、市販のメガネやゴーグルを用いることができ、特に、工事現場などでの粉塵の侵入防止機能や、花粉の侵入防止機能を有する、汎用品を用いることができる。
図２に示す第１の防護体Ｂは、フレーム１０と、フレーム１０に取り付けたクリアレンズ２０とで構成している。
【００１３】
＜３＞フレーム（図２）
フレーム１０は、第１の防護体Ｂを装着するための部材である。
本実施例では、ゴーグル型のフレーム１０を用いている。
【００１４】
＜４＞クリアレンズ（図２）
クリアレンズ２０は、装着者の目の前方に位置して、目への飛沫の侵入を防止するための部材である。
本発明において、クリアレンズ２０は透明部材で構成するため、サングラスのように周囲から装着者の目が視認できないことはない。
【００１５】
＜４．１＞紫外線の透過防止機能
クリアレンズ２０には、紫外線の透過防止機能を付与しておいてもよい。当該構成によれば、夏場の屋外などでの警備作業時における装着者の目の保護にも寄与する。
【００１６】
＜５＞第２の防護体（図３）
第２の防護体Ｃは、装着者の鼻と口を覆うことで、これらへの飛沫の侵入を防止するための部材である。
第２の防護体Ｃには、一般的にマウスシールドと呼ばれる部材を用いることもできる。
図３に示す第１の防護体Ｂは、クリアカバー３０と、本体部４０と、顎当て部５０と、耳掛け部６０とを有して構成する。
以下、各構成要素の詳細について説明する。
【００１７】
＜６＞クリアカバー（図３）
クリアカバー３０は、装着者の鼻と口の前方に位置して、鼻と口への飛沫の侵入を防止するための部材である。
本実施例では、クリアカバー３０を透明部材で構成しており、周囲から装着者の口元が視認できないことはない。
クリアカバー３０の高さは、装着者の鼻がクリアカバー３０によって覆われる程度の高さを要し、顔のサイズによるものの、概ね６ｃｍ以上、より好ましくは７ｃｍ以上とすることが好ましい。
なお、クリアカバー３０は、鼻周辺の肌から離隔した状態に位置しており、肌と直接接触することが無いため、装着者の顔の動きや第２の防護体３０をずらす動作によって、装着者の肌が傷つくこともない。
【００１８】
＜６．１＞紫外線の透過防止機能
クリアカバー３０には、紫外線の透過防止機能を付与しておいてもよい。当該構成によれば、夏場の屋外などでの警備作業時における装着者の日焼けの防止にも寄与する。
【００１９】
＜７＞本体部（図３）
本体部４０は、クリアカバー３０の下部を連結することで、第２の防護体Ｃの装着時において、クリアカバー３０を所定の位置に留めるための部材である。
本実施例では、本体部４０を、左右方向を長手方向としつつ、前後方向に湾曲させた長尺部材で構成している。
【００２０】
本体部４０の上部には溝を形成しており、この溝にクリアカバー３０の下部に予め取り付けてある連結具を嵌め込むことで、本体部４０に対しクリアカバー３０を脱着自在に構成している。
【００２１】
＜８＞顎当て部（図３）
顎当て部５０は、クリアカバー３０を、装着者の口や鼻から所定間隔をあけて位置させるための部材である。
顎当て部５０は、本体部４０の背面側から、装着者側に向かって張り出す様に形成する。
【００２２】
本実施例では、顎当て部５０を、本体部４０から張り出す一対の腕部５１と、当該一対の腕部５１から下方に垂れ下がるようにくの字状に伸ばした舌部５２と、で構成している。
腕部５１の長さは、装着者が所望するクリアカバー３０との離隔距離に応じて適宜決定することができる。
舌部５２の表面は肉抜きを施すことで、軽量化と、装着者の蒸れを防止している。
【００２３】
また、一対の腕部５１間に生じる隙間や、舌部５２に施した肉抜き部は、本考案に係る飛沫防止シールドＡを持ち歩く際に、畳んだ第１の防護体Ｂのフレーム１０を挿通しておくことで、第１の防護体と第２の防護体とを連結しておくためにも使用することができる。
【００２４】
さらに、本実施例では、腕部５１の先端に係止爪を設けておき、この係止爪を本体部４０の背面に設けた切欠きに係止することで、本体部４０に対し顎当て部５０を脱着自在に構成している。
【００２５】
＜９＞耳掛け部（図３）
耳掛け部６０は、第２の防護体Ｃを装着者が装着するための部材である。
耳掛け部６０は、紐によって形成したループで構成することが好ましい。装着者が警備員である場合に、警笛の使用などによって第２の防護体Ｃをこまめに口元から外す動作が頻発するため、本体部４０や顎当て部５０のずらし移動に際し、メガネのモダン（先セル）のような構成を採用する場合と比較して、第２の防護体Ｃが耳から外れるおそれが低いためである。
【符号の説明】
【００２６】
Ａ    飛沫防止シールド（透明フェイスシールド）
Ｂ    第１の防護体
１０  フレーム
２０  クリアレンズ
Ｃ    第２の防護体
３０  クリアカバー
４０  本体部
５０  顎当て部
５１  腕部
５２  舌部
６０  耳掛け部
【図１】
0003230831.tif 000003
【図２】
0003230831.tif 000004
【図３】
0003230831.tif 000005
【手続補正書】
【提出日】令和2年12月8日(2020.12.8)
【手続補正１】
【補正対象書類名】実用新案登録請求の範囲
【補正対象項目名】全文
【補正方法】変更
【補正の内容】
【実用新案登録請求の範囲】
【請求項１】
装着者の顔面を保護する飛沫防止シールドであって、
装着者の目を覆うクリアレンズを備えた、第１の防護体と、
装着者の鼻および口の前方を、間隔を空けて覆うクリアカバーを備えた、第２の防護体と、の組み合わせからなることを特徴とする、
飛沫防止シールド。
【請求項２】
前記クリアレンズが、紫外線の透過防止機能を有することを特徴とする、
請求項１に記載の飛沫防止シールド。
【請求項３】
前記クリアカバーが、紫外線の透過防止機能を有することを特徴とする、
請求項１または２に記載の飛沫防止シールド。
【請求項４】
前記第２の防護体が、
前記クリアカバーを脱着自在に構成した、本体部と、
前記本体部から、装着者の顔面側に突出させた、顎当て部と、
前記本体部の左右に設けた、耳掛け部と、
を更に備えることを特徴とする、
請求項１乃至３のうち何れか１項に記載の飛沫防止シールド。
【請求項５】
前記本体部に対し、前記耳掛け部を着脱自在に構成したことを特徴とする、
請求項４に記載の飛沫防止シールド。
【請求項６】
前記本体部に対し、前記顎当て部を着脱自在に構成したことを特徴とする、
請求項４または５に記載の飛沫防止シールド。
【請求項７】
前記第１の防護体が、粉塵保護用または花粉保護用のメガネまたはゴーグルであることを特徴とする、
請求項１乃至６のうち何れか１項に記載の飛沫防止シールド。